(57)【要約】【課題】食品に直接的に働きかけて食品が本来持っている栄養などの成分を保持する効果を高める冷蔵庫及び抗酸化剤用収納容器を提供する。又取り扱いが簡単で便利な使い方のできる着脱自在の抗酸化剤用収納容器を提供することを目的とする。【解決手段】食品を保存する貯蔵室を有する冷蔵庫において、粒状あるいは粉末状などの可動可能な抗酸化剤を収納する収納部と、前記収納部に設けられ、前記抗酸化剤の揮発成分を放出する開口部と、前記貯蔵室内に引っ掛けることにより前記貯蔵室内に固定する引っ掛け部と、を有する抗酸化剤収納容器を備え、前記抗酸化剤収納容器の引っ掛け部を前記貯蔵室内に引っ掛けることにより前記抗酸化剤収納容器を固定するようにした。【選択図】　　　　図４
2004093061.tif 000002
【特許請求の範囲】
【請求項１】
食品を保存する貯蔵室を有する冷蔵庫において、粒状あるいは粉末状などの可動可能な抗酸化剤を収納する収納部と、前記収納部に設けられ、前記抗酸化剤の揮発成分を放出する開口部と、前記貯蔵室内に引っ掛けることにより前記貯蔵室内に固定する引っ掛け部と、を有する抗酸化剤収納容器を備え、前記抗酸化剤収納容器の引っ掛け部を前記貯蔵室内に引っ掛けることにより前記抗酸化剤収納容器を固定するようにしたことを特徴とする冷蔵庫。
【請求項２】
前記貯蔵室内に収納容器を設け、前記抗酸化剤収納容器の引っかけ部を前記収納容器に引っ掛けるようにしたことを特徴とする請求項１に記載の冷蔵庫。
【請求項３】
前記抗酸化剤収納容器を脱着可能な構成としたことを特徴とする請求項１または請求項２に記載の冷蔵庫。
【請求項４】
出荷時には前記抗酸化剤収納容器の開口部を取り外し可能な不透過膜材で覆うようにしたことを特徴とする請求項１乃至請求項３のいずれかに記載の冷蔵庫。
【請求項５】
前記貯蔵室内に収納容器を設け、前記収納容器内を複数の区画に区分けし、あるいは前記貯蔵室内を前記収納容器によって複数の区画に区分けし、少なくとも１つの区画内に前記抗酸化収納容器を取り付け、前記貯蔵室の壁面あるいは前記収納容器の壁面に設けられた連通口を介して、前記抗酸化剤の揮発成分が他区画に流入するようにしたことを特徴とする請求項１乃至請求項４のいずれかに記載の冷蔵庫。
【請求項６】
粒状あるいは粉末状などの可動可能な抗酸化剤を収納するための第１の開口部を有する収納部と、前記第１の開口部の周囲に突出するように設けられたリブ部と、前記リブ部及び前記第１の開口部を覆うように設けられ、開閉自在に前記収納部に取り付けられたた蓋部と、前記収納部あるいは前記蓋部に設けられ、前記抗酸化剤の揮発成分を放出する第２の開口部と、を備えたことを特徴とする抗酸化剤用収納容器。
【請求項７】
前記収納部の第１の開口部に前記第１の開口部の一部を塞ぐように設けられた前記抗酸化剤の落下を防止するための覆い部を備えたことを特徴とする抗酸化剤用収納容器。
【発明の詳細な説明】
【０００１】
【発明の属する技術分野】
この発明は、抗酸化効果を有する抗酸化剤を備えた冷蔵庫、抗酸化効果を有する抗酸化剤を収納する収納容器に関するものである。
【０００２】
【従来の技術】
従来、野菜などの鮮度維持に関する技術は、例えば、特開２０００−１８００３４号公報、特開平１０−２３８９４号公報などが開示されている。前者は揮発性抗菌成分を有する抗菌剤に保鮮作用のある芳香物質をねりこんだ保鮮抗菌物をカセット内に内蔵させ、それを野菜容器に成型されたリブに上部より差し込んで取り付けることにより、この鮮度維持装置の脱着を容易に交換しやすくする内容が開示してある。後者は冷蔵庫などで保管される野菜や果物などの呼吸作用によって発生するエチレンガスや腐敗の進行えで起こる異臭を呼吸し酸化分解するなどにより鮮度を維持する内容が開示されている。
【０００３】
この前者の技術の説明によると抗菌剤と芳香物質を練りこんだ、複数の通気穴を有することで保鮮抗菌成分をスムースに拡散放出でき、特に保鮮効果の高い比重の重たい揮発性材のＡＩＴ抗菌剤を上部より徐々に放出拡散して青果物の変色を回避できるとしている。
【０００４】
【発明が解決しようとする課題】
従来のこのような発生ガスの抑制や抗菌成分を付着させての保鮮は食品の保鮮効果をうたいながらも、その本質は表面に付着した細菌の繁殖を抑制することで腐敗を遅らせるという効果のみであり、消極的な鮮度維持であり、食品中に含まれる栄養成分などは保持されないという問題点があった。また、従来の技術と同様な技術として、特開平７−１７４４５５号公報に記載されているように青果物から発生するエチレンガスを触媒に金属性の接触させて酸素と結合させ食品貯蔵雰囲気を低酸素にしたり、特開平１０−１６０３２８号公報や特開昭５６−１７６３３号公報のように食品環境の酸素を吸収するなどのものを設けるものがあるが、いずれも生鮮食品の鮮度低下や腐敗あるいはビタミンなどの低下を遅らせるなど周囲環境を改善して間接的に鮮度低下などを抑えるというもので、さらに寿命の問題を解決できず実用的なものではないという問題があった。
【０００５】
また、揮発性抗菌成分を冷蔵庫に配設する方式として、基材に練り込む方式があるが、この方式は基材表面が乾燥・固化することによって内部の成分が放出されなくなるという問題点があった。またマイクロカプセル化、サイクロデキストリン包摂された粉末を冷気風路に配設する方式もあるが、表面部の粉末内の成分が放出されると、内部の成分は残査物が通気を妨害し放出速度が遅くなるという問題点があった。
【０００６】
また、繊維に担持し配設する方式もあるが、この方式は担持体の欠落があること、形状が固定され難いという問題点があった。これらからどうしても早く揮発成分が無くなり寿命が短く頻繁に交換する手間が必要で特開２０００−１８００３４号公報に記載してあるごとく如何に簡単に交換できるかの構造検討が重要であるという問題があった。このため、従来の方式では２分割以上に区画された野菜容器の場合には、各区画ごとに抗菌剤を配置する必要性があり、コストアップの要因となるし、さらに取替えを考えるとカセットの取り付け構造に制約が発生するなどの問題があった。
【０００７】
特に特開２０００−１８００３４号公報に記載の取り付け構造だと、野菜容器に成型されたリブに抗菌カセットを上部より差し込んで取り付けるため、野菜容器の特定の場所にしか固定できず、また、その抗菌カセットを使わない場合にはリブ構造の分だけ野菜容器の収納容積が小さくなり、野菜保存の邪魔になったり、清掃性が悪かったりしていた。
【０００８】
また、特開２０００−１８００３４号公報における保鮮効果の高い揮発性抗菌成分であるアリルイソキオシアネートは危険物第四類第二石油類の引火性物質である。このことは冷蔵庫などの密閉空間に充満した状態にあった場合、温度によっては引火して燃焼の危険性があるなどの問題点があり、冷蔵庫一台あたりの使用量が少ない場合でも倉庫などの保管状態や生産においては十分な注意が必要である上、引火爆発の危険性を伴うなどの問題点があった。特に炭化水素などの可燃性自然冷媒を使用する冷蔵庫などではいっそう燃焼の安全対策を必要とするなどの複合した問題が発生する。
【０００９】
この発明は上記のような問題点を解決するためになされたもので、食品に直接的に働きかけて食品が本来持っている栄養などの成分を保持する効果を高める冷蔵庫及び抗酸化剤用収納容器を提供する。さらにこの発明は食品が保有するビタミンＣなどの栄養を維持するもののみならず低下させることの無い冷蔵庫及び抗酸化剤用収納容器を提供する。さらには、貯蔵室内に揮発性抗酸化成分が行き渡るように配置する構造の冷蔵庫を提供することを目的とする。又取り扱いが簡単で便利な使い方のできる着脱自在の抗酸化剤用収納容器を提供することを目的とする。
【００１０】
【課題を解決するための手段】
本発明の請求項１に記載の冷蔵庫は、食品を保存する貯蔵室を有する冷蔵庫において、粒状あるいは粉末状などの可動可能な抗酸化剤を収納する収納部と、前記収納部に設けられ、前記抗酸化剤の揮発成分を放出する開口部と、前記貯蔵室内に引っ掛けることにより前記貯蔵室内に固定する引っ掛け部と、を有する抗酸化剤収納容器を備え、前記抗酸化剤収納容器の引っ掛け部を前記貯蔵室内に引っ掛けることにより前記抗酸化剤収納容器を固定するようにしたものである。
【００１１】
本発明の請求項２に記載の冷蔵庫は、前記貯蔵室内に収納容器を設け、前記抗酸化剤収納容器の引っかけ部を前記収納容器に引っ掛けるようにしたものである。
【００１２】
本発明の請求項３に記載の冷蔵庫は、前記抗酸化剤収納容器を脱着可能な構成としたものである。
【００１３】
本発明の請求項４に記載の冷蔵庫は、出荷時には前記抗酸化剤収納容器の開口部を取り外し可能な不透過膜材で覆うようにしたものである。
【００１４】
本発明の請求項５に記載の冷蔵庫は、前記貯蔵室内に収納容器を設け、前記収納容器内を複数の区画に区分けし、あるいは前記貯蔵室内を前記収納容器によって複数の区画に区分けし、少なくとも１つの区画内に前記抗酸化収納容器を取り付け、前記貯蔵室の壁面あるいは前記収納容器の壁面に設けられた連通口を介して、前記抗酸化剤の揮発成分が他区画に流入するようにしたものである。
【００１５】
本発明の請求項６に記載の抗酸化剤用収納容器は、粒状あるいは粉末状などの可動可能な抗酸化剤を収納するための第１の開口部を有する収納部と、前記第１の開口部の周囲に突出するように設けられたリブ部と、前記リブ部及び前記第１の開口部を覆うように設けられ、開閉自在に前記収納部に取り付けられたた蓋部と、前記収納部あるいは前記蓋部に設けられ、前記抗酸化剤の揮発成分を放出する第２の開口部と、を備えたものである。
【００１６】
本発明の請求項７に記載の抗酸化剤用収納容器は、前記収納部の第１の開口部に前記第１の開口部の一部を塞ぐように設けられた前記抗酸化剤の落下を防止するための覆い部を備えたものである。
【００１７】
【発明の実施の形態】
実施の形態１．
図１は本発明の実施の形態１を表す冷蔵庫の抗酸化剤包装容器の断面図、図２は封入した抗酸化剤の効果の一例を示した抗酸化雰囲気中におけるブロッコリのビタミンＣの変化を示す図である。図１において、３は密閉性を保つことのでき抗酸化剤３ａを放出できる抗酸化剤包装容器、２は抗酸化剤包装容器３に開けられた開口部である細穴、４０は抗酸化剤包装容器３に設けられた開口部である細穴２を外部あるいは内部から塞ぐように貼りつけられた不織布であり、粒状の抗酸化剤３ａを抗酸化剤包装容器３内に留めると共に揮発性成分は外部に放出可能とするものである。
【００１８】
以上のように構成されているため、抗酸化剤包装容器３内に封入された抗酸化剤３ａの揮発性成分は細穴２を通って外部に放出される。この時に抗酸化剤としてユーカリ抽出物またはローズマリー抽出物またはその両者の混合物を封入することで、図２の試験結果に示したように、この抗酸化雰囲気では野菜中のビタミンＣ成分が保持される。なお図１の抗酸化放出ユニットである抗酸化剤包装容器３はプラスチック製であり、開口部である細穴２は粒状の抗酸化剤３ａが飛び出さない寸法や方向に設けられる。
【００１９】
この粒状の抗酸化剤３ａは外部より衝撃や振動などの外力を受けると包装容器３内でずれたり動いたりして開口部である細穴２に面した粒子が入れ替わる。図１のような剥き出しの抗酸化剤を使用する場合は、包装容器３の細穴２は内蔵する粒の大きさに合わせて小さくすれば良く、又、細穴２を不織布４０など抗酸化剤の粒より小さいもので覆う場合は包装容器３の細穴２は大きなものであっても外力を受けて粒子が外部に飛び出したりせず都合が良い。なお図１の包装容器３はプラスチック製としたが、全体を不織布４０として袋状としておき周囲全体の隙間から抗酸化剤３ａの揮発性成分が透過するようにしてもよい。この場合は衝撃を受けて袋が変形すると袋内の抗酸化剤が流動して表面に近い粒子と袋の中心に近い粒子の入れ替わりが起こり、抗酸化剤３ａが揮発しやすくなり都合がよい。
【００２０】
図２に示すビタミンＣ変化のメカニズムについて説明する。野菜中に含まれている栄養成分の中には、空気中の酸素が結びついて、（すなわち成分が酸化されて）分解し減少するものがある。本実施の形態のように抗酸化剤を有すると、野菜の表面に抗酸化成分があることによって、空気中の酸素が野菜に到達する前に、抗酸化成分と結びついて消失し、結果的に野菜中の栄養成分が酸化分解されない。
【００２１】
図２は、このような抗酸化剤の効果を示している。ユーカリ、ローズマリーを入れてブロッコリを貯蔵することによって、抗酸化剤がない場合に比べてブロッコリ中のビタミンＣ減少が抑えられている。このような抗酸化能をもつ物質の代表として、ユーカリ類・ローズマリーがあるが、そのほかにもユーカリ・ローズマリー中含まれている抗酸化作用をもつ成分であるユーカリプトール（１．８シネオール）、α−ピネンを多く含んでいる物質、ニアウリ・カンファーホワイト、マージョラムスパニッシュなどでも良い。
【００２２】
その他、分子量の大きい高分子抗酸化剤では、たとえば、ＳＯＤ、カタラーゼ、グルタチオン、リン酸グルコース、パーオキスターゼ、脱水素酵素などの酵素類、分子量の小さい低分子抗酸化剤では、たとえば、ビタミンＥ、Ｃ、Ｂ２、カテキンなどに代表されるポリフェノール類、フラボノイド、タンニン、カロチンなどが上げられる。また、図１では粒子状のもので説明したが、液体状でも良くいずれも流動可能な状態で包装容器３内に内蔵されていればよい。
【００２３】
図２のデータでは抗酸化雰囲気中のブロッコリのビタミンＣ量が最初２−３日は１２０パーセント程度まで上昇している。これは野菜が収穫後も生きておりビタミンＣを増やしているものであるが、従来、たとえば周囲を低い酸素状態にしたとしても野菜が酸化されてビタミンＣは減少していき、増加するよりも減るほうが多く常に栄養は低下するものと思われていた。
【００２４】
しかし、本実施の形態のような抗酸化剤の揮発成分が直接野菜に働きかけるようにすると、酸化すなわちビタミンの減少が押さえられてビタミンＣが増えるというデータが得られた。これは、ビタミンＣの減る量よりも増える量の方が大きくなり、結果的にビタミンＣの増加が得られるものである。植物は土から栄養分を摂取していたが、収穫後は自分の体内の成分を使って生きている。この時に体内の成分を消耗するような呼吸作用を抑制することで鮮度を保つことができる。
【００２５】
鮮度維持に高い効果があるものとして、呼吸抑制には温度を下げることが有効であり、さらに乾燥対策として湿度を高くすることが有効である。しかしながら本発明では栄養価的に維持し、おいしさとしても良い方向にするため、特に野菜表面で酸素により劣化するビタミンＣに対し、抗酸化剤の揮発成分を満たして維持のみならず栄養を増やすことも可能にするものである。なお、この発明のものにさらに野菜の温度を低くしてビタミンＣの減少をさらに押さえるようにしても良い。０℃などで長期に保存すると野菜は体内の成分を環境に合わせて換えていくためアミノ酸が増加して旨みが増すなども可能になる。
【００２６】
図３は本実施の形態を表す冷蔵庫の正面図である。１００は冷蔵庫本体であり、２００は冷蔵庫本体１００の最上部に開閉ドアを備えて配置される冷蔵室、３００は冷蔵室２００の下方に冷凍温度帯（−１８℃）から冷蔵、野菜、チルドの温度帯に切り替えることができ、引き出しドアを備える切替室、４００は切替室３００と並列に配置され、引き出しドアを備える製氷室、６００は最下部に配置され、引き出しドアを備えた冷凍室、５００は切替室３００と並列に配置される製氷室４００と冷凍室６００との間に配置され、引き出しドアを備えた野菜室である。野菜室５００内には下容器８および上容器９が設置されており野菜等の食品を区分けして収納することができるように構成されている。
【００２７】
図４は抗酸化剤用収納容器１が野菜室５００に取り付けられている一例を示す断面図、図５は抗酸化剤収納容器１の側面図、図６は抗酸化剤収納容器１を取り付けた状態を説明するための説明図である。図において、図１〜図３と同等部分は同一の符号を付して説明は省略する。図４において、５００は野菜室であり、主に野菜用に温度や湿度が制御されており、下容器８と上容器９により構成されている。
【００２８】
この下容器８と上容器９は野菜室５００の前面に設けられた引出し式の野菜室扉７の開閉に連動して引出される。１は引っ掛け部４を有する抗酸化剤収納容器であり、内部に抗酸化剤３ａが充填された抗酸化剤包装容器３が収納されており、上容器９の壁面に引っ掛け部４を利用して設置され、内部の抗酸化剤３ａを野菜室５００内に放出する。ここで、抗酸化剤収納容器１は引っ掛け部４により簡単に上容器９に引っ掛けたり取除いたりでき、ユーザーが自分で必要と思われる貯蔵室に取り付けたり、取除いたり（着脱）できる。また、抗酸化剤収納容器１には図１に示した抗酸化剤３ａを粒子状にしたものが包装容器３にて包装された状態で封入されている。
【００２９】
また、図５において、１は引っ掛け部４を有する抗酸化剤収納容器であり、Ｌ１は引っ掛け部４の引っ掛けられる最大幅寸法、Ｌ２は引っ掛け部４の引っ掛けられる最小幅寸法を表している。冷蔵庫本体１００内の各貯蔵室（冷蔵室２００、切替室３００、製氷室４００、野菜室５００、冷凍室６００など）には、この引っ掛け部４が引っ掛けられるような幅を有する幅部を少なくとも１ヵ所以上有している。
【００３０】
本実施の形態では、この幅部に幅寸法をＬ２以上Ｌ１以下の寸法にして、抗酸化剤収納容器１が冷蔵庫本体１００内の各貯蔵室のどこにでも配置できるようにしている。逆に各貯蔵室内において引っかけ部４を引っ掛けられるようにしたい部位の幅寸法の範囲に合わせて引っ掛け部４のＬ１、Ｌ２寸法を決めても良い。すなわち、幅部の最小幅寸法をＡ、最大幅寸法をＢとすれば、Ｌ１＞Ｂ、Ｌ２＜Ａとすればよい。このように引っ掛け部４のＬ１、Ｌ２寸法を決めることにより、どの貯蔵室にも抗酸化剤収納容器１を配置することができるため、どの貯蔵室の食品に対しても抗酸化剤の揮発成分が直接働きかけるためビタミンＣの減少が抑えられるなど鮮度維持効果が大きい。
【００３１】
図６において、９は野菜室５００内の上容器、１は抗酸化剤収納容器、４は抗酸化剤収納容器１に設けられた引っ掛け部である。図に示すように、上容器９の側壁が抜き勾配などにより傾斜（傾斜角Ｘ）している場合には、抗酸化剤収納容器１の取り付け角度Ｘ１も傾斜させて対応すれば良い。（角度Ｘ１を角度Ｘと略同等にすればよい。）
【００３２】
ここで、角度Ｘ１は抗酸化剤収納容器１を設置する上容器９の成形の際に生じる抜き勾配Ｘ度と略同等にすることによって、容器の形状に沿わせることができるので、設置する容器や貯蔵室の壁面や扉などにしっかりと固定できる。また引っ掛け部４の幅寸法Ｌ１は５ｍｍ〜１５ｍｍ程度としており、この範囲に収まる肉厚からなる容器や貯蔵室の壁面や扉であれば、引っ掛け部４により引っ掛け固定することができるようになっている。したがって、ユーザが自由に脱着可能であり、使用の可否、使用場所などを選択することが可能になる。
【００３３】
また、引っ掛け部４は押さえ部４ａを有し、抗酸化剤収納容器１の引っ掛け部４を引っ掛ける幅部９ａに外側に突出した爪部１４を設けている。したがって、この爪部１４に引っ掛け部４の押さえ部４ａが引っかかるようにしているので、抗酸化剤収納容器１が簡単に外れることはない。また、抗酸化剤収納容器１の押さえ部４ａが取り付けられる部位である上容器９の幅部９ａを押圧しているので、抗酸化剤収納容器１ががたつくこともない。
【００３４】
ここで、図７のように抗酸化剤収納容器１に引っ掛け部４を設けずに直接容器に取り付けても良い。図７は本実施の形態を表す抗酸化剤収納容器の取り付け例を説明するための図である。図において、１６は冷蔵庫本体１００内の各貯蔵室に設けられる容器であり、圧肉部であるフランジ１５を有している。また、１は抗酸化剤収納容器であり、幅広部１ａを有している。また、フランジ１５には容器１６の内部（容器１６の底面）からフランジ穴１７があけられており、このフランジ穴１７に直接抗酸化剤収納容器１の狭幅部１ｂが挿入されて設置されている。
【００３５】
ここで、穴１７は狭幅部１ｂと略同等形状で、かつ穴１７の大きさは狭幅部１ｂの大きさよりも若干大きくしてあり、穴１７に抗酸化剤収納容器１の狭幅部１ｂが挿入できるががたつくことがないようにしている。このようにすると、容器の壁面の肉厚が厚かったりして直接引っ掛け部４を引っ掛けることができないような容器であっても、抗酸化剤収納容器１を設置することが可能となる。
【００３６】
本実施の形態では野菜室５００の上容器９を例にして抗酸化剤収納容器１の取り付け方法を説明したが、他の貯蔵室の容器たとえば、図３に示す冷蔵室２００内の下部に設けられたスライド室７００内に設置されたスライド室ケースや、製氷室３００内に設置された貯氷箱、切替室４００内に設置された切替室容器、野菜室５００に設置された野菜を立てて保存するための野菜スタンドなどに抗酸化剤収納容器１を引っ掛けたり、挿入したりして設置しても同様の効果が得られる。また、本実施の形態では、抗酸化剤収納容器１に引っ掛け部４を設けているので、各貯蔵室に付属品として備わっている上述のメーカー純正のケースや容器でなくても、ユーザが独自に購入し、整理などに利用しているケースや容器などにも設置できるため、設置場所の自由度の大きい抗酸化剤収納容器および冷蔵庫を得ることができる。
【００３７】
また、図８に示すように冷蔵庫の棚に取り付けても良い。図８は本実施の形態を表す冷蔵庫の冷蔵室などの貯蔵室の側断面図である。図において、図１〜図７と同等部分は同一の符号を付して説明は省略する。図において、２００は貯蔵室である冷蔵室であり、冷蔵室２００内には棚１８が複数設置されている。本実施の形態では、この棚１８に対し、抗酸化剤収納容器１を横向きにして引っかけ部４を棚１８に引っ掛けるようにして設置している。ここで、矢印は抗酸化剤３ａが出て行く方向を示している。この場合、抗酸化剤収納容器１を棚１８の上に設置しても下に設置しても同様の効果が得られる。特に棚１８の下に設置した場合は食品の邪魔にならないのでより使い勝手が良くなるし、また、抗酸化剤３ａの揮発成分が矢印に示すように下側に自重で拡散されやすく抗酸化効果が大きくなる。
【００３８】
図９は本実施の形態に係る粒状の抗酸化剤３ａを内蔵する抗酸化剤収納容器１の徐放される抗酸化成分を貯蔵室内に充満させる方法を説明した図、図１０は図９のＺ−Ｚ断面を表す図である。なお、図１〜図８と同等部分は同一の符号を付して説明は省略する。図９において、８は貯蔵室である野菜室５００内に配置されている下容器、９は貯蔵室である野菜室５００内に配置され、下容器８の上部に配置される上容器である。
【００３９】
また、８ａは野菜等を立てた状態で保存するための立て容器であり、上容器９は立て容器８ａの奥行分だけ下容器８よりも奥行き方向の長さが短く設定されており、野菜室５００の扉を閉めた状態で野菜を立てた状態で収納しても上容器９が野菜の邪魔にならないようにしている。また、本実施の形態では、上容器９の前面壁（手前側の壁面）に抗酸化剤収納容器１が立て容器８ａに収納した野菜などの邪魔にならないように上容器９の内側に配置されており、抗酸化剤収納容器１の引っかけ部４が上容器９の前面壁に引っ掛けられて固定配置されている。
【００４０】
図１０において、９ａは上容器９の内壁に設けられた突起であり、抗酸化剤収納容器１を当接させるように固定することによって、抗酸化剤収納容器１のがたつきなを防止する。また、抗酸化剤収納容器１には穴２０ａ、２０ｂが設けられており、上容器９には、壁面で抗酸化剤収納容器１の穴２０ｂと対向する部分に穴１９が開いている。また、図中の矢印は抗酸化剤３ａが出て行く（拡散・徐放されていく）方向を示している。
【００４１】
このような構造にすると、上容器９内に配置された抗酸化剤収納容器１内に収納されている揮発性抗酸化剤３ａの成分が抗酸化剤収納容器１の穴２０ａより上容器９内に充満し、さらに抗酸化剤収納容器１の穴２０ｂから壁面の穴１９を通って下容器８内に出て、空気より重いため（比重が大きいため）、上方から下方に抗酸化成分が下降し、野菜室５００内の下容器８内にも流入するようになり、上容器９だけでなく、下容器８内にも抗酸化成分が行き渡り充満する。したがって、野菜室５００全体の抗酸化による鮮度維持やビタミンＣの減少を抑制できる。
【００４２】
ここで、より効果的に貯蔵室内に抗酸化成分を拡散させるためにファン装置などを配置して強制的に抗酸化成分を貯蔵室内に拡散させるようにしても良い。また、貯蔵室内の温度分布を部分的に変えて自然対流を起こさせて対流により拡散したり、貯蔵室内に冷気の吹出口と吸込口を設けることによって冷気の対流を起こし、抗酸化成分を拡散したりするようにしても良い。
【００４３】
実施の形態２．
図１１は実施の形態２を表す冷蔵庫の抗酸化収納容器取り付け部分の拡大図である。図において、図１〜図１０と同等部分は同一の符号を付して説明は省略する。図１１において、８は貯蔵室である野菜室５００内の配置されている下容器、９は貯蔵室である野菜室５００内の配置され、下容器８の上部に配置されている上容器であり、上容器９には、底面に穴２１が設けられており、抗酸化剤収納容器１の下部がこの底面の穴２１を貫通して下容器８内に突出して配置されている。また、図中の矢印は抗酸化剤３ａが出て行く（拡散・徐放されていく）方向を示している。
【００４４】
抗酸化剤収納容器１内の下容器８に突出する突出部２２には穴２２ａが設けられており、図１１に示す矢印のように抗酸化剤３ａの揮発性抗酸化成分がこの穴２２ａを通って徐放されるようにしている。このような構造にすると、抗酸化剤成分は空気より重いため（比重が大きい）下容器８内にも抗酸化成分が十分に充満させることができ、鮮度維持やビタミンＣの減少を抑制できる。
【００４５】
実施の形態３．
実施の形態１あるいは実施の形態２では効率良く抗酸化成分を徐放するための抗酸化剤収納容器１の設置方法について説明したが、本実施の形態では、実施の形態１や実施の形態２などで使用される抗酸化剤収納容器の構造および抗酸化剤を抗酸化剤収納容器に封入する方法について説明する。図１２は抗酸化剤収納容器の構造を説明するための図であり、図１２（ａ）は抗酸化剤収納容器１を開いた状態の正面図、図１２（ｂ）は抗酸化剤収納容器１を開いた状態側面図である。図において、図１〜図１１と同等部分は同一の符号を付して説明は省略する。
【００４６】
１は抗酸化剤収納容器、１ｆは容器部、１ｇは蓋部であり、中央のミラーヒンジ部２３で容器部１ｆと蓋部１ｇが折り曲げられて抗酸化剤収納容器１が形成される。１ｃは容器部１ｆに設けられた抗酸化剤収納部であり、ローズマリーなどの抗酸化剤３ａが包装容器３にて包装された状態で収納される。ミラーヒンジ部２３を設けることで、１部品で抗酸化剤収納容器１を構成することが可能であり、抗酸化剤収納容器１内の抗酸化剤３ａの抗酸化効果がなくなった場合には、ユーザーであっても簡単に抗酸化剤包装容器３のみ交換することが可能となっている。
【００４７】
抗酸化剤３ａは抗酸化成分の透過性が３０℃において約２ｍｇ／ｓｅｃ・ｃｍ２以下となるような包装材料の包装容器３にて包装されている。この包装材料により包装された抗酸化剤３ａは、粒状成分や粉末状成分を透過させないので、粒状成分や粉末状成分が抗酸化剤収納容器１外に出ることを防止している。透過性の目安の数値については、冷蔵庫の野菜室５００などの貯蔵室の低温度状態では測定が難しいため３０℃における数値で透過性を代表させている。抗酸化剤３ａの種類によって透過性は異なるが抗酸化剤がローズマリーの場合については上記の透過性を目安として包装材料を選定すればよい。
【００４８】
また、上記の透過性では、湿気の出入りはあるが液体としての水の浸入がないレベルである。なお、抗酸化剤３ａが使用環境下において湿気によりまとまる（固まる）など抗酸化成分が徐放されないような場合は、抗酸化剤３ａとともにシリカゲルなどの乾燥剤を抗酸化剤収納容器１に同封することで包装容器３内に侵入した水分を除去するようにすればよい。本実施の形態や実施の形態１や実施の形態２では、抗酸化剤３ａとしてはユーカリの抽出物またはローズマリー抽出物または、その両者の混合物等の抗酸化剤３ａが封入されている。
【００４９】
ここで、抗酸化剤収納容器１の容器部１ｆには、抗酸化剤包装容器３を収納する抗酸化剤収納部１ｃの周囲にリブ２４が設けられており、抗酸化剤収納容器１の蓋部１ｇを閉じた際にこのリブ２４が蓋部１ｇの内側に入り込み、抗酸化剤包装容器３が抗酸化剤収納容器１より外部にはみだすことがないようにしている。したがって、抗酸化剤収納容器１を閉じて、図６や図８にて示したように引っ掛け部４を引っ掛けて使用して、抗酸化剤包装容器３の包装材料が破損するなどしても、粉末状の抗酸化剤３ａがリブ部２４による嵌合部により抗酸化剤収納容器１の外部に流出することを防止している。
【００５０】
図１３、図１４は抗酸化剤収納容器の別の構造を説明するための図である。図において、図１〜図１２と同等部分は同一の符号を付して説明は省略する。図１３に示すように容器部１ｆに蓋部１ｇを閉めて抗酸化剤収納容器１を組立てて引っ掛け部４を壁面などに引っ掛けた状態で収納部１ｃの開口部の下方の一部を覆うように覆い部２５を設けている。本実施の形態では、この覆い部２５は、収納部１ｃの開口部の下方が袋状となるように設けられており、抗酸化剤収納容器１が引っ掛け部４により引っ掛けられた状態で、蓋部１ｇが開放されていても抗酸化剤包装容器３が落下しないようにしている。
【００５１】
したがって、容器部１ｆの収納部１ｃの開口部に袋形状に構成された覆い部２５を設け、その中に透過性が所定値に規定された包装材料の包装容器３にて包装された抗酸化剤３ａを挿入した抗酸化剤収納容器１を引っ掛け部４などにより壁面や底面などに固定するようにすれば、抗酸化剤３ａの抗酸化剤収納容器１外への流出防止が行なえる。また、抗酸化剤収納容器１の組立の際、抗酸化剤３ａを固定することができるので、包装材料の強度が弱かったりしなる素材であっても袋上の覆い部内に収容でき、安定して組み立てることができる。
【００５２】
また、図１２や図１３では抗酸化剤収納容器１を容器部１ｆと蓋部１ｇの開閉方式としてミラーヒンジ部２３にて接続しているとしたが、図１４のように爪部による別部品の嵌合方式（２部品構成の組合せ方式）としてもよい。この場合は、容器部１ｆと蓋部１ｇが別部品で構成され、一方の部品（たとえば蓋部１ｇ）に爪部２６ａを設け、他方の部品（たとえば容器部１ｆ）にこの爪部２６ａと嵌合する爪受部２６ｂを設け、この爪部２６ａと爪受部２６ｂが嵌め込まれることによって、抗酸化剤収納容器１が構成される。このとき内部の抗酸化剤包装容器３の保持構造はミラーヒンジ部２３を用いた図１２、図１３と同様の構成にすれば、抗酸化剤包装容器３の抗酸化剤収納容器１外への流出防止が行なえる。また、抗酸化剤収納容器１の組立の際、抗酸化剤包装容器３を固定することができるので、包装材料の強度が弱かったりしなる素材であっても袋状の覆い部２５内に収容でき、安定して組み立てることができる。
【００５３】
なお、上記の実施例では抗酸化剤３ａを封入した包装材料にて透過性をコントロールするようにしているが、外郭の抗酸化剤収納容器１の穴部２０ａ、２０ｂの開口面積でコントロールしても良い。つまり、上記例では包装材料透過性より抗酸化剤収納容器１の透過性を大きくしているが、逆にすれば抗酸化剤収納容器１でコントロールできる。たとえば、野菜容器の容量が異なる冷凍冷蔵庫に設置する場合に抗酸化剤収納容器１の穴部２０ａ、２０ｂの数や面積を変更したり、上容器９の穴部１９の面積で放出量をコントロールすることでさまざまな容量のケースに対応できる。さらに、家庭によって野菜保存量が異なる冷蔵庫の場合などは抗酸化剤収納容器１の穴部２０ａ、２０ｂをテープ等で塞いだり、開口したりすることで放出量をコントロールすることができる。
【００５４】
また、包装材料に注意書きと共に印刷をほどこし包装材料を着色、たとえば野菜をイメージするグリーンやさわやかなブルーなど、した場合に抗酸化剤収納容器１の穴部２０ａ、２０ｂより包装材が見えるため抗酸化剤包装容器３を着色したり、着色した部品を取りつけたり、印刷するなど施す必要がなく、意匠性をアップすることができるように構成されているので、放出用の穴部２０ａ、２０ｂが単なる機能的な穴部ではなく意匠として野菜の形にすればより一層の意匠性を向上させることができる。なお、抗酸化剤収納容器１は内部の抗酸化剤包装容器３や抗酸化剤３ａを交換することで再利用が可能であり、環境配慮されている。特に内部の抗酸化剤成分を塩ビなどのダイオキシン発生がない、ポリプロピレン（ＰＰ）やポリエチレンテレフタレート（ＰＥＴ）で構成すればより環境に良い。
【００５５】
本実施の形態や実施の形態１、実施の形態２では、食品を保存する貯蔵室を有する冷蔵庫において、粒状あるいは粉末状などの可動可能な抗酸化剤３ａを収納する収納部１ｃと、収納部１ｃに設けられ、抗酸化剤３ａの揮発成分を放出する開口部２０ａ、２０ｂと、前記貯蔵室内に引っ掛けることにより貯蔵室内に固定する引っ掛け部４と、を有する抗酸化剤収納容器１を備え、抗酸化剤収納容器１の引っ掛け部４を貯蔵室内に引っ掛けることにより抗酸化剤収納容器１を固定するようにしたので、冷蔵庫内の全ての貯蔵室に抗酸化剤収納容器１を簡単に取り付けることができ、また、ユーザーが自分で抗酸化剤３ａの入った抗酸化剤包装容器３を交換できる。
【００５６】
本実施の形態や実施の形態１、実施の形態２では、野菜室５００などの貯蔵室内に収納容器８、９を設け、抗酸化剤収納容器１の引っかけ部４を収納容器８、９に引っ掛けるようにしたので、簡単な構成の抗酸化剤収納容器１でありながら、抗酸化剤３ａを貯蔵室内に充満させることができ、食品などの抗酸化、鮮度維持が行なえる。また、抗酸化剤収納容器１を脱着可能な構成としたので、ユーザーが必要と考える貯蔵室内に取り付け替えることができ、ユーザーの好みに合わせることができる。また、ユーカリ抽出物またはローズマリー抽出物を単独または混合した抗酸化剤を粒子状（マクロカプセル化・サイクロデキストリン包接・親水性多孔質体担時など）にしたものからの放出成分が全区分室に放出され、各区分室に保存されている野菜や果実の食品が本来持っているビタミンＣなどの成分が保持される。
【００５７】
また、本実施の形態や実施の形態１、実施の形態２では、出荷時には抗酸化剤収納容器１の開口部２０ａ、２０ｂを取り外し可能で、抗酸化剤収納容器１内の抗酸化成分が透過しない不透過膜材で覆うようにしており、ユーザーが使用する前に抗酸化剤３ａが揮発してしまい、必要なときに抗酸化剤を使用できない事態を回避できる。また、貯蔵室内に収納容器８、９を設け、収納容器８、９内を複数の区画に区分けし、あるいは貯蔵室内を収納容器８、９によって複数の区画に区分けし、少なくとも１つの区画内に抗酸化収納容器１を取り付け、貯蔵室の壁面あるいは収納容器８、９の壁面に設けられた穴（連通口）１９を介して、抗酸化剤３ａの揮発成分が他区画に流入するようにしたので、安価に抗酸化剤３ａを他区画にも充満させることができ、抗酸化およびビタミンＣの低下を抑制できる。
【００５８】
また、本実施の形態や実施の形態１、実施の形態２では、抗酸化剤収納容器１に粒状あるいは粉末状などの可動可能な抗酸化剤３ａを収納するための第１の開口部を有する収納部１ｃと、第１の開口部１ｃの周囲に突出するように設けられたリブ部２４と、リブ部２４及び第１の開口部１ｃを覆うように設けられ、開閉自在に収納部１ｃに取り付けられたた蓋部１ｇと、収納部１ｃあるいは蓋部１ｇに設けられ、抗酸化剤３ａの揮発成分を放出する第２の開口部である穴部２０ａ、２０ｂと、を備えたので、抗酸化剤包装容器３の包装材料が破損するなどしても、粉末状の抗酸化剤３ａがリブ部２４による嵌合部により抗酸化剤収納容器１の外部に流出することを防止できる。
【００５９】
また、本実施の形態や実施の形態１、実施の形態２では、抗酸化剤収納容器１に収納部１ｃの第１の開口部に第１の開口部１ｃの一部を塞ぐように設けられた抗酸化剤包装容器３の落下を防止するための覆い部２５を備えたので、抗酸化剤３ａの抗酸化剤収納容器１外への流出防止が行なえる。また、抗酸化剤収納容器１の組立の際、抗酸化剤３ａを固定することができるので、包装材料の強度が弱かったりしなる素材であっても袋上の覆い部内に収容でき、安定して組み立てることができる。また、抗酸化剤３ａの包装材料あるいは抗酸化剤収納容器１を着色して包装容器３を製造するようにしたので、安価に抗酸化剤包装容器３あるいは抗酸化剤収納容器１の意匠性をあげることができる。また、抗酸化剤包装容器３あるいは抗酸化剤収納容器１そのものに保存性や清掃性を悪くするリブや突起物などがないため、貯蔵室内のどこにでも取り付けられ、取り付ける場所を選ばない。
【００６０】
また、本実施の形態や実施の形態１、実施の形態２では、抗酸化剤収納容器１を冷蔵庫の各貯蔵室の取り付けることにより抗酸化効果が得られる旨を説明したが、各貯蔵室としては生鮮食品を貯蔵する野菜室５００、冷蔵室２００、チルドや氷温室として使用されるスライド室７００、切替室３００や−５℃以上−１０℃以下のソフトフリージング室がよく、冷凍食品を貯蔵する冷凍室６００に取り付けるよりは抗酸化効果が大きく発揮できる。
【００６１】
また、本実施の形態や実施の形態１や実施の形態２では、抗酸化剤収納容器１を冷蔵庫本体１００内の各貯蔵室内に設置し、食品などの酸化を抑制する方法を説明したが、別に冷蔵庫に限るものではなく、例えば、住宅であれば室内のかもいのふちや扉のふちなどに設置するようにすれば、室内においても抗酸化作用の効果を得ることもできる。また、果物や野菜を運搬するダンボール箱などの運搬容器などの内部に本発明のローズマリーなどの抗酸化剤３ａが収納された抗酸化剤収納容器１を取り付けておけば、運搬容器内の果物や野菜などの抗酸化も達成できる。
【００６２】
【発明の効果】
本発明の請求項１に記載の冷蔵庫は、食品を保存する貯蔵室を有する冷蔵庫において、粒状あるいは粉末状などの可動可能な抗酸化剤を収納する収納部と、前記収納部に設けられ、前記抗酸化剤の揮発成分を放出する開口部と、前記貯蔵室内に引っ掛けることにより前記貯蔵室内に固定する引っ掛け部と、を有する抗酸化剤収納容器を備え、前記抗酸化剤収納容器の引っ掛け部を前記貯蔵室内に引っ掛けることにより前記抗酸化剤収納容器を固定するようにしたので、冷蔵庫内の全ての貯蔵室に抗酸化剤収納容器を簡単に取り付けることができ、また、ユーザーが自分で抗酸化剤の入った抗酸化剤包装容器を交換できる。
【００６３】
本発明の請求項２に記載の冷蔵庫は、前記貯蔵室内に収納容器を設け、前記抗酸化剤収納容器の引っかけ部を前記収納容器に引っ掛けるようにしたので、簡単な構成でありながら、抗酸化剤を貯蔵室内に充満させることができ、食品などの抗酸化、鮮度維持が行なえる。
【００６４】
本発明の請求項３に記載の冷蔵庫は、前記抗酸化剤収納容器を脱着可能な構成としたので、
【００６５】
本発明の請求項４に記載の冷蔵庫は、出荷時には前記抗酸化剤収納容器の開口部を取り外し可能な不透過膜材で覆うようにしたので、ユーザーが使用する前に抗酸化剤が揮発してしまい、必要なときに使用できない事態を回避できる。
【００６６】
本発明の請求項５に記載の冷蔵庫は、前記貯蔵室内に収納容器を設け、前記収納容器内を複数の区画に区分けし、あるいは前記貯蔵室内を前記収納容器によって複数の区画に区分けし、少なくとも１つの区画内に前記抗酸化収納容器を取り付け、前記貯蔵室の壁面あるいは前記収納容器の壁面に設けられた連通口を介して、前記抗酸化剤の揮発成分が他区画に流入するようにしたので、安価に抗酸化剤を他区画にも充満させることができ、抗酸化およびビタミンＣの低下を抑制できる。
【００６７】
本発明の請求項６に記載の抗酸化剤用収納容器は、粒状あるいは粉末状などの可動可能な抗酸化剤を収納するための第１の開口部を有する収納部と、前記第１の開口部の周囲に突出するように設けられたリブ部と、前記リブ部及び前記第１の開口部を覆うように設けられ、開閉自在に前記収納部に取り付けられたた蓋部と、前記収納部あるいは前記蓋部に設けられ、前記抗酸化剤の揮発成分を放出する第２の開口部と、を備えたので、抗酸化剤包装容器の包装材料が破損するなどしても、粉末状の抗酸化剤がリブ部による嵌合部により抗酸化剤収納容器の外部に流出することを防止できる。
【００６８】
本発明の請求項７に記載の抗酸化剤用収納容器は、前記収納部の第１の開口部に前記第１の開口部の一部を塞ぐように設けられた前記抗酸化剤の落下を防止するための覆い部を備えたので、抗酸化剤の抗酸化剤収納容器外への流出防止が行なえる。また、抗酸化剤収納容器の組立の際、抗酸化剤を固定することができるので、包装材料の強度が弱かったりしなる素材であっても袋上の覆い部内に収容でき、安定して組み立てることができる。
【図面の簡単な説明】
【図１】本発明の実施の形態１を表す冷蔵庫の抗酸化剤包装容器の断面図である。
【図２】本発明の実施の形態１を表す抗酸化剤の効果の一例を示した抗酸化雰囲気中におけるブロッコリのビタミンＣの変化を示す図である。
【図３】本発明の実施の形態１を表す冷蔵庫の正面図である。
【図４】本発明の実施の形態１を表す抗酸化剤用収納容器が野菜室に取り付けられている一例を示す断面図である。
【図５】本発明の実施の形態１を表す抗酸化剤収納容器の側面図である。
【図６】本発明の実施の形態１を表す抗酸化剤収納容器を取り付けた状態を説明するための説明図である。
【図７】本発明の実施の形態１を表す抗酸化剤収納容器の取り付け例を説明するための図である。
【図８】本発明の実施の形態１を表す冷蔵庫の冷蔵室などの貯蔵室の側断面図である。
【図９】本発明の実施の形態１に係る粒状の抗酸化剤を内蔵する抗酸化剤収納容器の徐放される抗酸化成分を貯蔵室内に充満させる方法を説明した図である。
【図１０】図９のＺ−Ｚ断面を表す図である。
【図１１】本発明の実施の形態２を表す冷蔵庫の抗酸化収納容器取り付け部分の拡大図である。
【図１２】本発明の実施の形態３を表す抗酸化剤収納容器の構造を説明するための図である。
【図１３】本発明の実施の形態３を表す抗酸化剤収納容器の別の構造を説明するための図である。
【図１４】本発明の実施の形態３を表す抗酸化剤収納容器の別の構造を説明するための図である。
【符号の説明】
１　抗酸化剤収納容器、１ａ　幅広部、１ｂ　狭幅部、１ｃ　収納部、１ｆ　容器部、１ｇ　蓋部、２　細穴、３　抗酸化剤包装容器、３ａ　抗酸化剤、４　引っ掛け部、４ａ　押さえ部、７　野菜室扉、８　下容器、８ａ　立て容器、９上容器、９ａ　幅部、１０　野菜容器抜き勾配　１１引っ掛け部角度　１２引っ掛け部横寸法　１３引っ掛け部爪　１４　爪部、１５　フランジ、１６　容器、１７　フランジ穴、１８　棚、１９野菜上容器穴　２０ａ、２０ｂ　穴、２１穴、２３　ミラーヒンジ部、２４　リブ、２５　覆い部、２６ａ　爪部、２６ｂ　爪受部、４０　不織布、１００　冷蔵庫本体、２００　冷蔵室、３００　製氷室、４００　切替室、５００　野菜室、６００　冷凍室、７００　スライド室。
【図１】
2004093061.tif 000003
【図２】
2004093061.tif 000004
【図３】
2004093061.tif 000005
【図４】
2004093061.tif 000006
【図５】
2004093061.tif 000007
【図６】
2004093061.tif 000008
【図７】
2004093061.tif 000009
【図８】
2004093061.tif 000010
【図９】
2004093061.tif 000011
【図１０】
2004093061.tif 000012
【図１１】
2004093061.tif 000013
【図１２】
2004093061.tif 000014
【図１３】
2004093061.tif 000015
【図１４】
2004093061.tif 000016